(57)【要約】      （修正有）【課題】組み立て、折り畳みが容易で多量の物品を収納でき、且つ、軽量で移動、運搬が容易な折り畳み式収納棚を提供する。【解決手段】折り畳み可能な布製の収納棚部材と、収納棚部材を吊り下げ支持する骨組みとで構成する。骨組みは２本のパイプを回動可能なＸ字状に交差結合した一対のＸ字状フレームを所定間隔隔てて対向配置し、Ｘ字状フレームの対応する上下端部間にパイプを着脱可能に取り付ける。収納棚部材は前方が開口した直方体形状の棚空間が垂直方向に複数個連続形成されるように形成し、最上段棚の上面板前後端縁に沿って筒状の布部材を縫合で取り付け、最下段棚の下面板前後端縁の両端部に面ファスナーの一端を縫合で取り付ける。筒状布部材にパイプを挿通してＸ字状フレームの上端間に取りつけ、面ファスナーをＸ字状フレームの下端間パイプを包むように巻き付けて下面板前後端縁を固定する。【選択図】図２
0003190484.tif 000002
【実用新案登録請求の範囲】
【請求項１】
多段式の折り畳み式収納棚であって、折り畳み可能な布製の収納棚部材と、該収納棚部材を棚空間が形成される状態に吊り下げ支持する骨組みとからなり、
前記骨組みは、２本のパイプを回動可能なＸ字状に交差結合したＸ字状フレームを所定間隔隔てて左右に対向配置し、左右パイプの上下端部間にパイプを着脱可能に渡して構成してあり、
前記収納棚部材は、前方が開口した直方体形状の棚空間が垂直方向に複数個連続形成されるように形成され、最上段棚空間を形成する収納棚部材の上面前後端縁に沿っては筒状の布部材が縫合により取り付けられ、最下段棚空間を形成する収納棚部材の下面前後端縁の両端部にはマジックテープ（登録商標）の一端が縫合により取り付けられており、
収納棚として使用する際は、前記Ｘ字状フレームの上端間パイプを前記筒状の布部材に挿通した状態で取りつけ、前記マジックテープの他端は前記Ｘ字状フレームの下端間パイプを包むようにして前記一端側に貼り付け固定することにより収納棚部材が吊り下げられて棚空間が垂直方向に複数個連続形成されるようにし、不使用時には前記骨組みの前記各パイプを取り外して分解し、前記収納棚部材は各棚空間を形成する側面布部分及び背面布部分を棚空間内側に向けて折り曲げることにより収納棚部材全体が最上面、最下面間に挟まれた状態に折り畳むことを特徴とする折り畳み式収納棚。
【請求項２】
請求項１に記載の折り畳み式収納棚において、前記Ｘ字状フレームを構成する各パイプは、Ｘ字状の交差結合部より上端側寄り部分にて嵌め合いにより連結、分離可能に２分割されていることを特徴とする折り畳み式収納棚。
【請求項３】
請求項１又は２に記載の折り畳み式収納棚において、前記直方体形状の各収納棚空間を左右に２分割する仕切り部材を追加し、該仕切り部材の空間奥側端部、及び中間部棚板の空間奥側端部は収納棚の背面布に固定せずに構成してあり、
不使用時に前記収納棚部材を折り畳む際は、各棚空間を形成する側面布部分は棚空間内側に向けて折り曲げ、各棚空間の背面布部分は棚空間外側に向けて折り曲げ、前記仕切り部材は上下中間位置にて左右何れかに折り曲げることにより収納棚部材全体が最上面、最下面間に挟まれた状態に折り畳むことを特徴とする折り畳み式収納棚。
【考案の詳細な説明】
【技術分野】
【０００１】
本考案は、折り畳み式の物品収納棚に係るものであり、使用時には簡易に組み立てて多量の物品を収納する多段収納棚として使用でき、非使用時にはコンパクトに折り畳んで狭いスペースに保管でき、移動、運搬も容易にできる折り畳み式収納棚に関する。
【背景技術】
【０００２】
家庭で用いられる収納棚は同じ場所に長期間設置されるため、比較的強固で見栄えのするものが好まれる。しかし、収納棚には商品の一時的保管や陳列のために使用されるものがあり、それらは同じ場所には短期間しか設置されず、しばしば設置場所が変更される。そうした用途の収納棚には、組み立て、折り畳みが容易で、折り畳んだときの収納スペースが狭く、軽量で運搬が容易なものが好まれる。
【０００３】
そうした用途の収納棚が各種、提案されている。例えば、特許文献１には、移動用車輪を備えた基台フレーム上に中央棚支持体を立設し、該支持体の左右両側に棚部材の一端を上下に所定の間隔で枢着すると共に、棚部材の他端を棚支持体の左右側方に夫々直立せしめた側面棚支持体に枢着することによって、中央棚支持体と側面棚支持体との間に略水平に棚部材を支持する構造の折り畳み自在な収納棚が開示されている。しかし、この収納棚の場合、中央棚支持体は折り畳めず、基台フレームと背の高い中央棚支持体が残るため運搬に不便で、重量も重い問題がある。
【０００４】
また、特許文献２〜５等にも折り畳み式棚が提案されているが、いずれも構造が複雑であり、折り畳んだ状態で長い部材が残っていたり、重量があったりする問題がある。
【先行技術文献】
【特許文献】
【０００５】
【特許文献１】特開平０５−２４５００７号公報
【特許文献２】特開２００６−１９８０３９号公報
【特許文献３】特開２００１−７００６０号公報
【特許文献４】特開平１１−１５５６６５号公報
【特許文献５】特開平０７−２３４３８号公報
【考案の開示】
【考案が解決しようとする課題】
【０００６】
本考案は、従来技術のこうした問題点を解決するためになされたもので、その課題は、組み立て、折り畳みが容易で多量の物品を収納でき、且つ、軽量で移動、運搬が容易な折り畳み式収納棚を提供することにある。
【課題を解決するための手段】
【０００７】
前記課題を解決するための請求項１に記載の考案は、多段式の折り畳み式収納棚であって、折り畳み可能な布製の収納棚部材と、該収納棚部材を棚空間が形成される状態に吊り下げ支持する骨組みとからなり、骨組みは２本のパイプを回動可能なＸ字状に交差結合したＸ字状フレームを所定間隔隔てて左右に対向配置し、左右パイプの上下端部間にパイプを着脱可能に渡して構成してあり、収納棚部材は前方が開口した直方体形状の棚空間が垂直方向に複数個連続形成されるように形成され、最上段棚空間を形成する収納棚部材の上面前後端縁に沿っては筒状の布部材が縫合により取り付けられ、最下段棚空間を形成する収納棚部材の下面前後端縁の両端部にはマジックテープ（登録商標）の一端が縫合により取り付けられており、収納棚として使用する際は、Ｘ字状フレームの上端間パイプを筒状の布部材に挿通した状態で取りつけ、マジックテープの他端はＸ字状フレームの下端間パイプを包むようにして一端側に貼り付け固定することにより収納棚部材が吊り下げられて棚空間が垂直方向に複数個連続形成されるようにし、不使用時には骨組みの各パイプを取り外して分解し、収納棚部材は各棚空間を形成する側面布部分及び背面布部分を棚空間内側に向けて折り曲げることにより収納棚部材全体が最上面、最下面間に挟まれた状態に折り畳むことを特徴とする折り畳み式収納棚である。
【０００８】
このような構成の折り畳み式収納棚は、軽量で組み立て、折り畳みが容易であり、且つ、多量の物品を収納できる。このため必要なときに組み立てて収納棚として使用し、不使用時には折り畳んで狭い場所に保管でき、移動、運搬も容易な利点を有する。
【０００９】
また、請求項２に記載の考案は、請求項１に記載の折り畳み式収納棚において、Ｘ字状フレームを構成する各パイプは、Ｘ字状の交差結合部より上端側寄り部分にて嵌め合いにより連結、分離可能に２分割されていることを特徴とする折り畳み式収納棚である。
【００１０】
このような構成にすれば、Ｘ字状フレームを構成する長いパイプも短い２本のパイプに分離して保管できる。
【００１１】
また、請求項３に記載の考案は、請求項１又は２に記載の折り畳み式収納棚において、直方体形状の各収納棚空間を左右に２分割する仕切り部材を追加し、該仕切り部材の空間奥側端部、及び中間部棚板の空間奥側端部は収納棚の背面布に固定せずに構成してあり、収納棚部材を折り畳む際は、各棚空間を形成する側面布部分は棚空間内側に向けて折り曲げ、各棚空間の背面布部分は棚空間外側に向けて折り曲げ、仕切り部材は上下中間位置にて左右何れかに折り曲げることにより収納棚部材全体が最上面、最下面間に挟まれた状態に折り畳むことを特徴とする折り畳み式収納棚である。
【００１２】
このような構成の折り畳み式収納棚は、請求項１、２に記載の折り畳み式収納棚と同様の効果を奏する。
【図面の簡単な説明】
【００１３】
【図１】第１の実施形態に係る折り畳み式収納棚１の外観斜視図である。
【図２】折り畳み式収納棚１に物品収納箱２を装入した状態の斜視図である。
【図３】骨組み４の斜視図である。
【図４】前方側から見た収納棚部材３の斜視図である。
【図５】後方側から見た収納棚部材３の斜視図である。
【図６】収納棚部材３の折り畳み方を説明する斜視図である。
【図７】折り畳んだ状態の収納棚部材３の斜視図である。
【図８】折り畳み式物品収納箱２の例である。
【図９】第２の実施形態に係る折り畳み式収納棚１ａの外観斜視図である。
【図１０】後方側から見た収納棚部材３ａの斜視図である。
【図１１】収納棚部材３ａの折り畳み方を説明する斜視図である。
【図１２】折り畳んだ状態の収納棚部材３ａの斜視図である。
【考案を実施するための形態】
【００１４】
以下、本考案に係る折り畳み式収納棚の構成例について実施形態に分けて説明する。
（第１の実施形態）
図１は第１の実施形態に係る折り畳み式収納棚１の外観斜視図、図２は、その折り畳み式収納棚１の下から３段目の棚空間５に物品を収納する物品収納箱２を装入した状態の斜視図である。折り畳み式収納棚１は、折り畳み可能な布製の収納棚部材３と、該収納棚部材３を棚空間５が形成される状態に吊り下げ支持する骨組み４から構成される。図３は骨組み４の斜視図である。図４は収納棚部材３を物品を入れる前方側から見た斜視図、図５は後方側から見た斜視図である。図中の点線は収納棚部材３を折り畳む際の折り目線を示す。図に示す折り畳み式収納棚１は、棚空間５が４個形成される場合の例である。
【００１５】
骨組み４は図３に示すように、一対のＸ字状フレーム７と横木としての４本のパイプ８から構成される。Ｘ字状フレーム７は、２本の長いパイプ９を中央部でＸ字状に交差させ、交差部で回動可能に結合したものである。一対のＸ字状フレーム７は、棚空間５の横幅より少し広い間隔を隔てて対向配置してある。横木としての４本のパイプ８は、各Ｘ字状フレーム７のパイプ９の対応する上下端部間に着脱可能に張り渡してある。Ｘ字状フレーム７を構成する２本の長いパイプ９は、Ｘ字状の交差結合部より上端側寄り部分にて嵌め合い構造１０により連結、分離可能に２分割されている。収納時には嵌め合い構造１０にて分離して長さを短くして保管する。
【００１６】
収納棚部材３は、前方側が開口した直方体形状の棚空間５が４個、垂直方向に積み上げた状態に連続形成されるように構成されている。両側面、背面にはそれぞれ、連続した一枚の布が使用されている。中間の３個の棚板１１、最上面板１２、最下面板１３は、補強のためのプラスチック板、厚紙を布の間に挟み込んだ構成になっている。これら各板は、左右側端、背面端がそれぞれ両側面布、背面布に縫合により固定されている。
【００１７】
収納棚部材３の最上段棚空間の天板にあたる最上面板１２の上面には、筒状に形成した布部材１４が前後端縁に沿って縫合により取り付けられている。最下段棚空間の底板にあたる最下面板１３の下面の前後端縁の両端部には、マジックテープ１５の一端が縫合により取り付けられている。
【００１８】
このように構成された折り畳み式収納棚１を収納棚として使用する際は、最初に横木としての２本のパイプ８を収納棚部材３の最上面板１２の前後端縁に取り付けた筒状布部材１４の孔に通す。そして、広げたＸ字状フレーム７の長いパイプ９の上端間に渡し、ボルトにより固定する。Ｘ字状フレーム７の長いパイプ９の下端間には横木として２本のパイプ８をボルトにより固定する。収納棚部材３は、２本の横木パイプ８により吊り下げられた状態になる。最後に、収納棚部材３の最下面板１３の下面に取り付けたマジックテープ１５の他端を下端間パイプ８を包むように巻き付けて一端側に貼り付け固定することにより収納棚部材３の下面前後端を該パイプ８に固定する。これにより図１に示すような４個の棚空間５を有する収納棚１が完成する。
【００１９】
不使用時には折り畳み式収納棚１を分解して折り畳む。最初にマジックテープ１５による収納棚部材３の下部の固定を解除し、折り畳み式収納棚１を吊り下げている上方の２本のパイプ８をＸ字状フレーム７から取り外して筒状布部材１４から引き抜き、収納棚部材３を取り外す。次に、取り外した収納棚部材３を上下方向に折り畳む。図４、図５の収納棚部材３に示した点線は折り曲げ線である。何れの折り曲げ線も、折り曲げ線が棚空間５の内側に向かうように谷折りする。図６は、折り畳み方を示すために最上段の棚空間５の高さだけを１／２の高さに折り曲げた状態の斜視図である。他の段も同じように折り曲げて全体を折り畳むと、図７に示すように３枚の棚板１１、両側面布、背面布が最上面板１２、最下面板１３間に挟まれた状態になる。
【００２０】
骨組み４の解体は、対向するＸ字状フレーム７間に渡してある４本のパイプ８を取り外す。Ｘ字状フレーム７は嵌め合い構造１０部分で長いパイプ９を２つに分離する。交差結合しているボルトは取り外してもよいし、そのままにしておいてもよい。このようにすることで、骨組み４は１２本の短いパイプに解体される。
【００２１】
このように、本実施形態の折り畳み式収納棚１は軽量で組み立て、折り畳みが容易であり、且つ、多量の物品を収納できる。このため必要なときに組み立てて収納棚として使用し、不使用時には折り畳んで狭い場所に保管でき、軽量のため移動、運搬も容易である。なお、物品を収納して棚空間５に装入する物品収納箱２は、図８に示すように折り畳み構造のものを使用すると便利である。箱の底は布で製作する。
【００２２】
（第２の実施形態）
図９は第２の実施形態に係る折り畳み式収納棚１ａの外観斜視図である。第１の実施形態に係る折り畳み式収納棚１の各棚空間５に縦の仕切り部材２０を追加したものである。第１の実施形態に係る収納棚部材３と違って、中間段の各棚板１１は左右側端が両側面の布に縫合して固定されているのみで、背面端は背面布には固定されていない。縦の仕切り部材２０の背面端も背面布には固定されておらず、上下面板にのみ縫合により固定されている。
【００２３】
図１０は収納棚部材３ａを後方側から見た斜視図である。点線は収納棚部材３ａを折り畳む際の折り目線である。縦の仕切り部材２０が追加されているため、折り畳みの際に背面布を棚空間の内側に向けて折り曲げることはできない。背面布は図１１の最上段に例示するように棚空間の外側に向けて山折りに折り曲げる。両側面の布は棚空間の内側に向けて谷折りする。全体を折り畳むと図１２に示すような形状になる。第１の実施形態の場合の図７に比べて若干、平面面積が大きいがコンパクトな形状に折り畳みできる。本実施形態の折り畳み式収納棚１ａも第１の実施形態に係る折り畳み式収納棚１と同様の利点を有する。
【符号の説明】
【００２４】
図面中、１、１ａは折り畳み式収納棚、３、３ａは収納棚部材、４は骨組み、５は棚空間、７はＸ字状フレーム、８、９はパイプ、１０は嵌め合い、１４は筒状の布部材、１５はマジックテープ、２０は仕切り部材を示す。
【図１】
0003190484.tif 000003
【図２】
0003190484.tif 000004
【図３】
0003190484.tif 000005
【図４】
0003190484.tif 000006
【図５】
0003190484.tif 000007
【図６】
0003190484.tif 000008
【図７】
0003190484.tif 000009
【図８】
0003190484.tif 000010
【図９】
0003190484.tif 000011
【図１０】
0003190484.tif 000012
【図１１】
0003190484.tif 000013
【図１２】
0003190484.tif 000014
【手続補正書】
【提出日】平成26年2月28日(2014.2.28)
【手続補正１】
【補正対象書類名】実用新案登録請求の範囲
【補正対象項目名】請求項１
【補正方法】変更
【補正の内容】
【請求項１】
多段式の折り畳み式収納棚であって、折り畳み可能な布製の収納棚部材と、該収納棚部材を棚空間が形成される状態に吊り下げ支持する骨組みとからなり、  前記骨組みは、２本のパイプを回動可能なＸ字状に交差結合したＸ字状フレームを所定間隔隔てて左右に対向配置し、左右パイプの上下端部間にパイプを着脱可能に渡して構成してあり、  前記収納棚部材は、前方が開口した直方体形状の棚空間が垂直方向に複数個連続形成されるように形成され、最上段棚空間を形成する収納棚部材の上面前後端縁に沿っては筒状の布部材が縫合により取り付けられ、最下段棚空間を形成する収納棚部材の下面前後端縁の両端部には面ファスナーの一端が縫合により取り付けられており、  収納棚として使用する際は、前記Ｘ字状フレームの上端間パイプを前記筒状の布部材に挿通した状態で取りつけ、前記面ファスナーの他端は前記Ｘ字状フレームの下端間パイプを包むようにして前記一端側に貼り付け固定することにより収納棚部材が吊り下げられて棚空間が垂直方向に複数個連続形成されるようにし、不使用時には前記骨組みの前記各パイプを取り外して分解し、前記収納棚部材は各棚空間を形成する側面布部分及び背面布部分を棚空間内側に向けて折り曲げることにより収納棚部材全体が最上面、最下面間に挟まれた状態に折り畳むことを特徴とする折り畳み式収納棚。
【手続補正２】
【補正対象書類名】明細書
【補正対象項目名】０００７
【補正方法】変更
【補正の内容】
【０００７】  前記課題を解決するための請求項１に記載の考案は、多段式の折り畳み式収納棚であって、折り畳み可能な布製の収納棚部材と、該収納棚部材を棚空間が形成される状態に吊り下げ支持する骨組みとからなり、骨組みは２本のパイプを回動可能なＸ字状に交差結合したＸ字状フレームを所定間隔隔てて左右に対向配置し、左右パイプの上下端部間にパイプを着脱可能に渡して構成してあり、収納棚部材は前方が開口した直方体形状の棚空間が垂直方向に複数個連続形成されるように形成され、最上段棚空間を形成する収納棚部材の上面前後端縁に沿っては筒状の布部材が縫合により取り付けられ、最下段棚空間を形成する収納棚部材の下面前後端縁の両端部には面ファスナーの一端が縫合により取り付けられており、収納棚として使用する際は、Ｘ字状フレームの上端間パイプを筒状の布部材に挿通した状態で取りつけ、面ファスナーの他端はＸ字状フレームの下端間パイプを包むようにして一端側に貼り付け固定することにより収納棚部材が吊り下げられて棚空間が垂直方向に複数個連続形成されるようにし、不使用時には骨組みの各パイプを取り外して分解し、収納棚部材は各棚空間を形成する側面布部分及び背面布部分を棚空間内側に向けて折り曲げることにより収納棚部材全体が最上面、最下面間に挟まれた状態に折り畳むことを特徴とする折り畳み式収納棚である。
【手続補正３】
【補正対象書類名】明細書
【補正対象項目名】００１７
【補正方法】変更
【補正の内容】
【００１７】  収納棚部材３の最上段棚空間の天板にあたる最上面板１２の上面には、筒状に形成した布部材１４が前後端縁に沿って縫合により取り付けられている。最下段棚空間の底板にあたる最下面板１３の下面の前後端縁の両端部には、面ファスナー１５の一端が縫合により取り付けられている。
【手続補正４】
【補正対象書類名】明細書
【補正対象項目名】００１８
【補正方法】変更
【補正の内容】
【００１８】  このように構成された折り畳み式収納棚１を収納棚として使用する際は、最初に横木としての２本のパイプ８を収納棚部材３の最上面板１２の前後端縁に取り付けた筒状布部材１４の孔に通す。そして、広げたＸ字状フレーム７の長いパイプ９の上端間に渡し、ボルトにより固定する。Ｘ字状フレーム７の長いパイプ９の下端間には横木として２本のパイプ８をボルトにより固定する。収納棚部材３は、２本の横木パイプ８により吊り下げられた状態になる。最後に、収納棚部材３の最下面板１３の下面に取り付けた面ファスナー１５の他端を下端間パイプ８を包むように巻き付けて一端側に貼り付け固定することにより収納棚部材３の下面前後端を該パイプ８に固定する。これにより図１に示すような４個の棚空間５を有する収納棚１が完成する。
【手続補正５】
【補正対象書類名】明細書
【補正対象項目名】００１９
【補正方法】変更
【補正の内容】
【００１９】  不使用時には折り畳み式収納棚１を分解して折り畳む。最初に面ファスナー１５による収納棚部材３の下部の固定を解除し、折り畳み式収納棚１を吊り下げている上方の２本のパイプ８をＸ字状フレーム７から取り外して筒状布部材１４から引き抜き、収納棚部材３を取り外す。次に、取り外した収納棚部材３を上下方向に折り畳む。図４、図５の収納棚部材３に示した点線は折り曲げ線である。何れの折り曲げ線も、折り曲げ線が棚空間５の内側に向かうように谷折りする。図６は、折り畳み方を示すために最上段の棚空間５の高さだけを１／２の高さに折り曲げた状態の斜視図である。他の段も同じように折り曲げて全体を折り畳むと、図７に示すように３枚の棚板１１、両側面布、背面布が最上面板１２、最下面板１３間に挟まれた状態になる。
【手続補正６】
【補正対象書類名】明細書
【補正対象項目名】００２４
【補正方法】変更
【補正の内容】
【００２４】  図面中、１、１ａは折り畳み式収納棚、３、３ａは収納棚部材、４は骨組み、５は棚空間、７はＸ字状フレーム、８、９はパイプ、１０は嵌め合い、１４は筒状の布部材、１５は面ファスナー、２０は仕切り部材を示す。